(57)【要約】【課題】  使用者が撮影開始を指示した時に、被写体までの距離の測定や被写体の明るさの測定等、撮影の準備ですぐに記録を開始することができないという問題点のない画像処理装置を提供することを課題とする。【解決手段】  記録開始指示前記録時間設定手段を設け、記録媒体の未記録時間の残り度合いによって、記録開始指示前設定時間の分、記録が可能か、設定時間より少ない時間の分の記録になるか、記録開始指示前の記録が不可能か判断する。また記録開始指示前に実際に記録する時間を表示し、記録媒体の未記録時間の減少に応じて、表示を変更する。【選択図】        図１
2005311505.tif 000002
【特許請求の範囲】
【請求項１】
撮像した静止画像及び或いは動画像を記録媒体に記録する画像処理装置であって、撮像手段と、記録手段と、制御手段と、画像データを前記記録手段に記録するための開始を指示する記録開始指示手段とを有し、前記記録開始指示手段で記録開始の指示がなされる前に、画像データを前記記録手段に記録することを特徴とする画像処理装置。
【請求項２】
撮像した静止画像及び或いは動画像を記録媒体に記録する画像処理装置であって、撮像手段と、記録手段と、制御手段と、画像データを前記記録手段に記録するための開始を指示する記録開始指示手段と、前記記録開始指示手段で記録開始の指示がなされる前に画像データを前記記録手段に記録する時間を設定する記録開始指示前記録時間設定手段とを有し、前記記録開始指示手段で記録開始の指示がなされる前に、前記記録開始指示前記録時間設定手段で設定された時間の分、画像データを前記記録手段に記録することを特徴とする画像処理装置。
【請求項３】
撮像した静止画像及び或いは動画像を記録媒体に記録する画像処理装置であって、撮像手段と、記録手段と、制御手段と、表示手段と、画像データを前記記録手段に記録するための開始を指示する記録開始指示手段と、前記記録開始指示手段で記録開始の指示がなされる前に画像データを前記記録手段に記録する時間を設定する記録開始指示前記録時間設定手段とを有し、前記記録開始指示前記録時間設定手段で設定された時間に対する前記記録手段の未記録時間が第１の閾値未満の時は、前記記録開始指示手段で記録開始の指示がなされる前に、前記記録開始指示前記録時間設定手段で設定された時間よりも少ない時間、画像データを前記記録手段に記録し、その旨と前記記録開始指示手段で記録開始の指示がなされる前に画像データを前記記録手段に記録する時間とを前記表示手段に表示することを特徴とする画像処理装置。
【請求項４】
前記表示手段に表示する前記記録開始指示手段で記録開始の指示がなされる前に画像データを前記記録手段に記録する時間は、前記記録開始指示手段で記録動作を続けている間中、前記記録手段の未記録時間の減少に応じて、表示を変更することを特徴とする請求項３記載の画像処理装置。
【請求項５】
前記第１の閾値は前記記録開始指示前記録時間設定手段で設定された時間であることを特徴とする請求項３記載の画像処理装置。
【請求項６】
撮像した静止画像及び或いは動画像を記録媒体に記録する画像処理装置であって、撮像手段と、記録手段と、制御手段と、表示手段と、画像データを前記記録手段に記録するための開始を指示する記録開始指示手段と、前記記録開始指示手段で記録開始の指示がなされる前に画像データを前記記録手段に記録する時間を設定する記録開始指示前記録時間設定手段とを有し、前記記録開始指示前記録時間設定手段で設定された時間に対する前記記録手段の未記録時間が第２の閾値未満の時は、記録開始指示前記録を禁止し、その旨を前記表示手段に表示することを特徴とする画像処理装置。
【発明の詳細な説明】
【技術分野】
【０００１】
本発明は、静止画像や動画像を撮像、記録、再生する画像処理装置に関するものである。
【背景技術】
【０００２】
従来、固体メモリ素子を有するメモリカードや磁気テープを記録媒体として、静止画像や動画像を記録再生する電子カメラ、カムコーダー等の画像処理装置は既に市販されている。
【０００３】
これらの電子カメラ、カムコーダーによれば、使用者が撮影開始の指示を行うと静止画像や動画像を撮影、記録することができる。
【０００４】
また、正確な撮影が行えるように、撮影開始の指示を行った後で実際に撮影が行われる前に、被写体までの距離の測定や被写体の明るさの測定を行い被写体に関する情報を得ることで撮影の準備を行っている。
【０００５】
また、ＥＶＦやＬＣＤ等に記録媒体の未記録容量を表示して、使用者があとどのくらい撮影、記録が可能かを知ることができるようになっている。
【特許文献１】特開２０００−２０９５３７号公報
【発明の開示】
【発明が解決しようとする課題】
【０００６】
このような従来の電子カメラ、カムコーダー等の画像処理装置においては、使用者が撮影開始を指示した時に、被写体までの距離の測定や被写体の明るさの測定等、撮影の準備ですぐに記録を開始することができないという問題点があった。
【０００７】
つまり、実際に記録媒体に記録される画像は、使用者が望んでいる画像とタイムラグがあるという問題点があった。
【０００８】
本発明は、上述の問題点に鑑みて成されたものであって、撮像した静止画像や動画像を記録媒体に記録する画像処理装置において、使用者が録画スタート指示する前も連続的に録画を行って、使用者が所望の画像を取りはぐれることのない画像処理装置を提供することを課題とするものである。
【課題を解決するための手段】
【０００９】
前記課題を解決するため、本発明に係る画像処理装置に於いては、以下の構成を有する。
【００１０】
（１）撮像した静止画像及び或いは動画像を記録媒体に記録する画像処理装置であって、撮像手段と、記録手段と、制御手段と、画像データを前記記録手段に記録するための開始を指示する記録開始指示手段とを有し、前記記録開始指示手段で記録開始の指示がなされる前に、画像データを前記記録手段に記録することを特徴とする。
【００１１】
（２）撮像した静止画像及び或いは動画像を記録媒体に記録する画像処理装置であって、撮像手段と、記録手段と、制御手段と、画像データを前記記録手段に記録するための開始を指示する記録開始指示手段と、前記記録開始指示手段で記録開始の指示がなされる前に画像データを前記記録手段に記録する時間を設定する記録開始指示前記録時間設定手段とを有し、前記記録開始指示手段で記録開始の指示がなされる前に、前記記録開始指示前記録時間設定手段で設定された時間の分、画像データを前記記録手段に記録することを特徴とする。
【００１２】
（３）撮像した静止画像及び或いは動画像を記録媒体に記録する画像処理装置であって、撮像手段と、記録手段と、制御手段と、表示手段と、画像データを前記記録手段に記録するための開始を指示する記録開始指示手段と、前記記録開始指示手段で記録開始の指示がなされる前に画像データを前記記録手段に記録する時間を設定する記録開始指示前記録時間設定手段とを有し、前記記録開始指示前記録時間設定手段で設定された時間に対する前記記録手段の未記録時間が第１の閾値未満の時は、前記記録開始指示手段で記録開始の指示がなされる前に、前記記録開始指示前記録時間設定手段で設定された時間よりも少ない時間、画像データを前記記録手段に記録し、その旨と前記記録開始指示手段で記録開始の指示がなされる前に画像データを前記記録手段に記録する時間とを前記表示手段に表示することを特徴とする。
【００１３】
（４）前記表示手段に表示する前記記録開始指示手段で記録開始の指示がなされる前に画像データを前記記録手段に記録する時間は、前記記録開始指示手段で記録動作を続けている間中、前記記録手段の未記録時間の減少に応じて、表示を変更することを特徴とする。
【００１４】
（５）前記第１の閾値は前記記録開始指示前記録時間設定手段で設定された時間であることを特徴とする。
【００１５】
（６）撮像した静止画像及び或いは動画像を記録媒体に記録する画像処理装置であって、撮像手段と、記録手段と、制御手段と、表示手段と、画像データを前記記録手段に記録するための開始を指示する記録開始指示手段と、前記記録開始指示手段で記録開始の指示がなされる前に画像データを前記記録手段に記録する時間を設定する記録開始指示前記録時間設定手段とを有し、前記記録開始指示前記録時間設定手段で設定された時間に対する前記記録手段の未記録時間が第２の閾値未満の時は、記録開始指示前記録を禁止し、その旨を前記表示手段に表示することを特徴とする。
【発明の効果】
【００１６】
本発明によれば、第１に、撮像した静止画像及び或いは動画像を記録媒体に記録する画像処理装置であって、撮像手段と、記録手段と、制御手段と、画像データを前記記録手段に記録するための開始を指示する記録開始指示手段とを有し、前記記録開始指示手段で記録開始の指示がなされる前に、画像データを前記記録手段に記録することを特徴とする画像処理装置を提供することが可能となる。
【００１７】
第２に、撮像した静止画像及び或いは動画像を記録媒体に記録する画像処理装置であって、撮像手段と、記録手段と、制御手段と、画像データを前記記録手段に記録するための開始を指示する記録開始指示手段と、前記記録開始指示手段で記録開始の指示がなされる前に画像データを前記記録手段に記録する時間を設定する記録開始指示前記録時間設定手段とを有し、前記記録開始指示手段で記録開始の指示がなされる前に、前記記録開始指示前記録時間設定手段で設定された時間の分、画像データを前記記録手段に記録することを特徴とする画像処理装置を提供することが可能となる。
【００１８】
第３に、撮像した静止画像及び或いは動画像を記録媒体に記録する画像処理装置であって、撮像手段と、記録手段と、制御手段と、表示手段と、画像データを前記記録手段に記録するための開始を指示する記録開始指示手段と、前記記録開始指示手段で記録開始の指示がなされる前に画像データを前記記録手段に記録する時間を設定する記録開始指示前記録時間設定手段とを有し、前記記録開始指示前記録時間設定手段で設定された時間に対する前記記録手段の未記録時間が第１の閾値未満の時は、前記記録開始指示手段で記録開始の指示がなされる前に、前記記録開始指示前記録時間設定手段で設定された時間よりも少ない時間、画像データを前記記録手段に記録し、その旨と前記記録開始指示手段で記録開始の指示がなされる前に画像データを前記記録手段に記録する時間とを前記表示手段に表示することを特徴とする画像処理装置を提供することが可能となる。
【００１９】
第４に、前記表示手段に表示する前記記録開始指示手段で記録開始の指示がなされる前に画像データを前記記録手段に記録する時間は、前記記録開始指示手段で記録動作を続けている間中、前記記録手段の未記録時間の減少に応じて、表示を変更することを特徴とする画像処理装置を提供することが可能となる。
【００２０】
第５に、前記第１の閾値は前記記録開始指示前記録時間設定手段で設定された時間であることを特徴とする画像処理装置を提供することが可能となる。
【００２１】
第６に、撮像した静止画像及び或いは動画像を記録媒体に記録する画像処理装置であって、撮像手段と、記録手段と、制御手段と、表示手段と、画像データを前記記録手段に記録するための開始を指示する記録開始指示手段と、前記記録開始指示手段で記録開始の指示がなされる前に画像データを前記記録手段に記録する時間を設定する記録開始指示前記録時間設定手段とを有し、前記記録開始指示前記録時間設定手段で設定された時間に対する前記記録手段の未記録時間が第２の閾値未満の時は、記録開始指示前記録を禁止し、その旨を前記表示手段に表示することを特徴とする画像処理装置を提供することが可能となる。
【００２２】
言い換えれば、上記手段により、使用者が撮影開始を指示した時に、被写体までの距離の測定や被写体の明るさの測定等、撮影の準備ですぐに記録を開始することができないという問題点のない画像処理装置を提供することが可能となる。
【００２３】
つまり、実際に記録媒体に記録される画像は、使用者が望んでいる画像とタイムラグがあるという問題点のない画像処理装置を提供することが可能となる。
【発明を実施するための最良の形態】
【００２４】
以下に本発明を実施するための最良の形態を実施例に基づいて説明する。
【実施例１】
【００２５】
以下、図面を参照して本発明の実施例を説明する。
【００２６】
図１は、本発明の第１の実施例の構成を示す図である。
【００２７】
図１において、１００は画像処理装置である。
【００２８】
１０は光学像を電気信号に変換するＣＣＤやＣＭＯＳ等の撮像素子、及び、撮像素子のアナログ信号出力をディジタル信号に変換する撮像部である。１２は信号処理部であり、撮像部１０からのデータに対して所定の画素補間処理や色変換処理を行う。１４は信号処理部１２で処理されたデータを書き込むメモリ、及び或いは、撮影した静止画像や動画像を格納するためのメモリであり、所定枚数の静止画像や所定時間の動画像を格納するのに十分な記憶量を備えている。１６はＥＶＦ、ＴＦＴ  ＬＣＤ等から成る画像表示部であり、メモリ１４に書き込まれた表示用の画像データは画像表示部１６により表示される。
【００２９】
２０は画像処理装置１００全体を制御するシステム制御回路である。
【００３０】
３０、３２、３４、３６、及び３８は、システム制御回路２０の各種の動作指示を入力するための操作手段であり、スイッチやダイアル、タッチパネル等の単数或いは複数の組み合わせで構成される。
【００３１】
ここで、これらの操作手段の具体的な説明を行う。
【００３２】
３０はモードスイッチで、撮影モード、再生モード等に切り替え設定することができる。３２は録画スイッチで、記録媒体への記録開始を指示することができる。３４は停止スイッチで、記録媒体への記録停止を指示することができる。３６は録画指示前記録時間設定スイッチで、録画スイッチ３２が押される前に記録媒体へ記録する時間を設定することができる。３８は各種ボタンやタッチパネル等からなる操作部で、各種設定のオン、オフや各種切り替えを行うことができる。
【００３３】
４０は電源スイッチで、画像処理装置１００の電源オン、電源オフの各モードを切り替え設定することができる。また、画像処理装置１００に接続された記録媒体６０等の各種付属装置の電源オン、電源オフの設定も合わせて切り替え設定することができる。
【００３４】
５０は電池やＡＣアダプター等からなる電源手段であり、画像処理装置１００の各部に必要な電力を供給する。
【００３５】
６０はメモリカードやハードディスク、磁気テープ等の記録媒体である。６２は記録媒体６０が装着されているか否かを検知する記録媒体着脱検知手段である。
【００３６】
８０は通信手段で、ＵＳＢ、ＩＥＥＥ１３９４等の各種通信機能を有する。
【００３７】
図２から図６を参照して、第１の実施例の動作を説明する。
【００３８】
図２及び図３は本発明の実施例の画像処理装置１００の主ルーチンのフローチャートを示す。
【００３９】
図２及び図３を用いて、画像処理装置１００の動作を説明する。
【００４０】
電池交換等の電源投入により、システム制御回路２０はフラグや制御変数等を初期化し、画像処理装置１００の各部において必要な所定の初期設定を行う（Ｓ１０１）。
【００４１】
システム制御回路２０は、電源スイッチ４０の設定位置を判断し、電源スイッチ４０が電源オフに設定されていたならば（Ｓ１０２）、各表示部の表示を終了状態に変更し、画像処理装置１００各部の不要な電源を遮断する等の所定の終了処理を行った後（Ｓ１０３）、Ｓ１０２に戻る。
【００４２】
電源スイッチ４０が電源オンに設定されていたならば（Ｓ１０２）、システム制御回路２０は、電源５０の残容量や動作状況が画像処理装置１００の動作に問題があるか否かを判断し（Ｓ１０４）、問題があるならば画像や音声により所定の警告表示を行った後に（Ｓ１０８）、Ｓ１０２に戻る。
【００４３】
電源５０に問題がないならば（Ｓ１０４）、システム制御回路２０はモードスイッチ３０の設定位置を判断し、モードスイッチ３０が撮影モードに設定されていたならば（Ｓ１０５）、Ｓ１０７に進む。
【００４４】
モードスイッチ３０がその他のモードに設定されていたならば（Ｓ１０５）、システム制御回路２０は選択されたモードに応じた処理を実行し（Ｓ１０６）、処理を終えたならばＳ１０２に戻る。
【００４５】
システム制御回路２０は、記録媒体６０が装着されているかどうかの判断、記録媒体６０に記録された画像データの管理情報の取得、そして、記録媒体６０の動作状態が画像処理装置１００の動作、特に記録媒体に対する画像データの記録再生動作に問題があるか否かの判断を行い（Ｓ１０７）、問題があるならば画像や音声により所定の警告表示を行った後に（Ｓ１０８）、Ｓ１０２に戻る。
【００４６】
記録媒体６０が装着されているかどうかの判断、記録媒体６０に記録された画像データの管理情報の取得、そして、記録媒体６０の動作状態が画像処理装置１００の動作、特に記録媒体に対する画像データの記録再生動作に問題があるか否かの判断を行った結果（Ｓ１０７）、問題がないならば、Ｓ１０９に進む。
【００４７】
システム制御回路２０は画像表示部１６を用いて画像や音声により画像処理装置１００の各種設定状態の表示を行う（Ｓ１０９）。
【００４８】
録画スイッチ３２により録画スタート指示がなされていないならば（Ｓ１２１）、Ｓ１０２に戻る。
【００４９】
録画スイッチ３２により録画スタート指示がなされていたならば（Ｓ１２１）、Ｓ１２２に進む。
【００５０】
録画指示前記録時間設定スイッチ３６により録画スイッチ３２が押される前に記録媒体へ記録する時間を設定するプリ録画時間設定がなされていないならば（Ｓ１２２）、Ｓ１２３に進み、録画スイッチ３２が押される前に記録媒体へ記録するプリ録画を行わない通常録画モードで録画を行う。
【００５１】
録画指示前記録時間設定スイッチ３６によりプリ録画時間設定がなされているならば（Ｓ１２２）、Ｓ１２４に進む。
【００５２】
記録媒体６０の現在の未記録時間をＴＢ、録画指示前記録時間設定スイッチ３６で設定されたプリ録画時間をＴＭ、プリ録画が可能であると判断できる記録媒体６０の未記録領域の時間閾値をＴ１とすると、ＴＢ−ＴＭがＴ１未満であれば（Ｓ１２４）、プリ録画が不可能であるとの判断からプリ録画を禁止し（Ｓ１２９）、画像表示部１６を用いてその旨を表示する（Ｓ１３０）。
【００５３】
ＴＢ−ＴＭがＴ１以上であれば（Ｓ１２４）、プリ録画が可能であるとの判断から、Ｓ１２５に進む。
【００５４】
ＴＢ−ＴＭがＴＭ以上であれば（Ｓ１２５）、録画指示前記録時間設定スイッチ３６で設定されたプリ録画時間の分、プリ録画が可能であるとの判断から通常プリ録画モードで録画を行う（Ｓ１２８）。
【００５５】
ＴＢ−ＴＭがＴＭ未満であれば（Ｓ１２５）、録画指示前記録時間設定スイッチ３６で設定されたプリ録画時間の分、プリ録画が不可能であるとの判断から、ＴＭよりも短い時間だけプリ録画を行う短時間プリ録画モードで録画を行い（Ｓ１２６）、画像表示部１６を用いてプリ録画可能な時間を表示する（Ｓ１２７）。
【００５６】
通常プリ録画モードと短時間プリ録画モードでは、記録媒体６０の現在の未記録時間ＴＢが随時変化するため、録画スイッチ３２がＯＮである限り（Ｓ１３１）、常に未記録時間ＴＢをチェックして、通常プリ録画モードになるか短時間プリ録画モードになるかを判断する。
【００５７】
図４は、通常プリ録画モード時の記録媒体の既記録時間、未記録時間と録画指示前記録可能時間との関係を簡単に現した概念図を示す。
【００５８】
記録媒体の録画指示前記録設定時間ＴＭに対して未記録時間ＴＢが充分に残っている場合には（ＴＢ−ＴＭ＞＝ＴＭ）、録画指示前記録設定時間ＴＭの分、記録することが可能である。
【００５９】
図５は、短時間プリ録画モード時の記録媒体の既記録時間、未記録時間と録画指示前記録可能時間との関係を簡単に現した概念図を示す。
【００６０】
記録媒体の録画指示前記録設定時間ＴＭに対して未記録時間ＴＢが少ない場合には（ＴＢ−ＴＭ＜ＴＭ）、録画指示前記録設定時間ＴＭの分、記録することが不可能であるため録画指示前の実記録時間は設定時間よりも少なくなる。
【００６１】
図６は、プリ録画禁止時の記録媒体の既記録時間、未記録時間と録画指示前記録可能時間との関係を簡単に現した概念図を示す。
【００６２】
記録媒体の録画指示前記録設定時間ＴＭに対して未記録時間ＴＢがプリ録画不可能時間閾値Ｔ１より少ない場合には（ＴＢ−ＴＭ＜Ｔ１）、録画指示前記録をすることが不可能であるためプリ録画を禁止する。
【実施例２】
【００６３】
図７は、本発明の第２の実施例の構成を示す図である。
【００６４】
第１の実施例の図１と画像処理装置１００の構成は同じである。
【００６５】
図７において、２００は外部記録装置である。
【００６６】
１１０は外部記録装置２００全体を制御するシステム制御回路である。
【００６７】
１２０はハードディスク等の記録媒体である。
【００６８】
１３０は電池やＡＣアダプター等からなる電源手段であり、外部記録装置２００の各部に必要な電力を供給する。
【００６９】
１４０は通信手段で、ＵＳＢ、ＩＥＥＥ１３９４等の各種通信機能を有し、画像処理装置１００と接続することにより、撮影した画像を記録媒体１２０に記録することができる。
【００７０】
また画像処理装置１００の通信手段８０と外部記録装置２００の通信手段１４０との通信により、画像処理装置１００の記録媒体着脱検知手段６２で、外部記録装置２００が装着されているか否かを検知することができる。
【００７１】
外部記録装置２００においてシステム制御回路１１０は、画像処理装置１００と通信して得られた画像データ、及び或いは、記録媒体６０に記録されている画像データを記録媒体１２０に記録することができる。
【００７２】
図８から図１１を参照して、第２の実施例の動作を説明する。
【００７３】
図８は、通常プリ録画モード時の記録媒体６０の既記録時間、未記録時間と録画指示前記録可能時間及び、記録媒体１２０の既記録時間、未記録時間との関係を簡単に現した概念図を示す。
【００７４】
記録媒体の録画指示前記録設定時間ＴＭに対して記録媒体６０の未記録時間ＴＢ１及び記録媒体１２０の未記録時間ＴＢ２のトータル（ＴＢ＝ＴＢ１＋ＴＢ２）が充分に残っている場合には（ＴＢ−ＴＭ＞＝ＴＭ）、録画指示前記録設定時間ＴＭの分、記録することが可能である。
【００７５】
図９は、通常プリ録画モード時の記録媒体６０の既記録時間、未記録時間と録画指示前記録可能時間及び、記録媒体１２０の既記録時間、未記録時間との関係を簡単に現した概念図を示す。
【００７６】
記録媒体の録画指示前記録設定時間ＴＭに対して記録媒体６０の未記録時間ＴＢ１は少なくなっているが、記録媒体１２０の未記録時間ＴＢ２が充分に残っているのでトータル（ＴＢ＝ＴＢ１＋ＴＢ２）として充分に残っており（ＴＢ−ＴＭ＞＝ＴＭ）、録画指示前記録設定時間ＴＭの分、記録することが可能である。
【００７７】
図１０は、短時間プリ録画モード時の記録媒体６０の既記録時間、未記録時間と録画指示前記録可能時間及び、記録媒体１２０の既記録時間、未記録時間との関係を簡単に現した概念図を示す。
【００７８】
記録媒体の録画指示前記録設定時間ＴＭに対して記録媒体６０の未記録時間ＴＢ１及び記録媒体１２０の未記録時間ＴＢ２のトータル（ＴＢ＝ＴＢ１＋ＴＢ２）が少ない場合には（ＴＢ−ＴＭ＜ＴＭ）、録画指示前記録設定時間ＴＭの分、記録することが不可能であるため録画指示前の実記録時間は設定時間よりも少なくなる。
【００７９】
図１１は、プリ録画禁止時の記録媒体６０の既記録時間、未記録時間と録画指示前記録可能時間及び、記録媒体１２０の既記録時間、未記録時間との関係を簡単に現した概念図を示す。
【００８０】
記録媒体の録画指示前記録設定時間ＴＭに対して記録媒体６０の未記録時間ＴＢ１及び記録媒体１２０の未記録時間ＴＢ２のトータル（ＴＢ＝ＴＢ１＋ＴＢ２）が記録媒体６０のプリ録画不可能時間閾値Ｔ１１及び記録媒体１２０のプリ録画不可能時間閾値Ｔ１２のトータル（Ｔ１＝Ｔ１１＋Ｔ１２）より少ない場合には（ＴＢ−ＴＭ＜Ｔ１）、録画指示前記録をすることが不可能であるためプリ録画を禁止する。
【図面の簡単な説明】
【００８１】
【図１】本発明の一実施例の構成ブロック図
【図２】本発明の一実施例の主ルーチンのフローチャートの一部
【図３】本発明の一実施例の主ルーチンのフローチャートの一部
【図４】本発明の一実施例の概念図
【図５】本発明の一実施例の概念図
【図６】本発明の一実施例の概念図
【図７】本発明の一実施例の構成ブロック図
【図８】本発明の一実施例の概念図
【図９】本発明の一実施例の概念図
【図１０】本発明の一実施例の概念図
【図１１】本発明の一実施例の概念図
【符号の説明】
【００８２】
１０    撮像部
１２    信号処理部
１４    メモリ
１６    画像表示部
２０    システム制御回路
３０    モードスイッチ
３２    録画スイッチ
３４    停止スイッチ
３６    録画指示前記録時間設定スイッチ
３８    操作部
４０    電源スイッチ
５０    電源
６０    記録媒体
６２    記録媒体着脱検知
８０    通信手段
１００    画像処理装置
１１０    システム制御回路
１２０    記録媒体
１３０    電源
１４０    通信手段
２００    外部記録装置
【図１】
2005311505.tif 000003
【図２】
2005311505.tif 000004
【図３】
2005311505.tif 000005
【図７】
2005311505.tif 000006
【図４】
2005311505.tif 000007
【図５】
2005311505.tif 000008
【図６】
2005311505.tif 000009
【図８】
2005311505.tif 000010
【図９】
2005311505.tif 000011
【図１０】
2005311505.tif 000012
【図１１】
2005311505.tif 000013